【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
映像データを各色の原色データとして画素単位で個別に伝送するインターフェース規格を用いて送信するデジタル映像データ送信装置であって、
前記インターフェース規格を用いる伝送経路を介して当該機器に接続された外部機器の機器情報を取得する外部機器情報取得部と、
番組ストリームを再生する番組ストリーム再生部と、
前記番組ストリーム再生部が再生した番組ストリームが立体映像方式の場合、前記外部機器の機器情報から前記外部機器の立体映像表示方式情報を抽出し、抽出した立体映像表示方式情報に適合するように、前記再生した番組ストリームのデータ多重化方式を決定するデータ多重化方式決定部と、
前記データ多重化方式決定部が決定した多重化方式に従い、前記再生した番組ストリームのデータを多重化し、多重化した番組ストリームのデータのブランキング期間に、前記多重化方式の情報を付加するデータ多重化部と、
前記伝送経路を介して前記データ多重化部が多重化した番組ストリームのデータを出力する伝送処理部と、
を備えてなるデジタル映像データ送信装置。
【請求項２】
前記データ多重化方式決定部は、前記外部機器の機器情報から前記外部機器の画像表示能力情報を抽出し、抽出した画像表示能力情報に適合するように前記再生した番組ストリームのデータの間引き方式を決定し、
前記データ多重化部は、前記再生した番組ストリームのデータを決定した間引き方式に従い間引いたのち、多重化する
ことを特徴とする請求項１に記載のデジタル映像データ送信装置。
【請求項３】
前記間引き方式は、前記再生した番組ストリームの右目用映像データと左目用映像データをそれぞれ半分のサイズになるように間引くことを特徴とする請求項２に記載のデジタル映像データ送信装置。
【請求項４】
前記伝送処理部は、前記伝送経路を介して当該機器の機器情報を前記外部機器に出力し、
前記出力した機器情報をもとに前記外部機器により選定された立体映像表示方式情報を前記外部機器から受信したときは、前記データ多重化方式決定部は、前記再生した番組ストリームのデータ多重化方式を前記外部機器から受信した多重化方式情報により決定することを特徴とする請求項１ないし３のいずれかに記載のデジタル映像データ送信装置。
【請求項５】
映像データを各色の原色データとして画素単位で個別に伝送するインターフェース規格を用いて受信するデジタル映像データ受信装置であって、
前記インターフェース規格を用いる伝送経路を介して当該機器に接続された外部機器に当該機器の機器情報を送信する受信装置情報出力部と、
前記外部機器から送信された番組ストリームのデータを分離処理する分離処理部と、
前記分離処理されたデータのブランキング期間から多重化情報を抽出する多重化情報抽出部と、
前記映像データが立体映像方式の場合、前記多重化情報抽出部が抽出した多重化情報に基づき、前記分離した映像データを立体映像表示用に処理する映像処理部と、
を備えてなるデジタル映像データ受信装置。
【請求項６】
前記外部機器から前記外部機器の能力情報を取得する外部機器能力情報取得部と、
前記取得した外部機器能力情報から抽出した前記外部機器の立体映像表示方式情報と当該機器の立体映像表示方式情報を提示して、その中から立体映像表示方法を選択する立体映像表示方式選択部と、
前記選択した立体映像表示方式情報を前記外部機器に送信する選択立体映像表示方式送信部と、
を備えてなる請求項５に記載のデジタル映像データ受信装置。
【請求項７】
請求項１ないし４のいずれかに記載の
デジタル映像データ送信装置と、
映像データを各色の原色データとして画素単位で個別に伝送するインターフェース規格を用いる伝送経路を介して前記デジタル映像データ送信装置と接続される請求項５または６に記載のデジタル映像データ受信装置と、
を備えてなるデジタル映像データ伝送システム。
【請求項８】
前記インターフェース規格はＨＤＭＩ（High Definition Multimedia Interface）規格であることを特徴とする請求項７に記載のデジタル映像データ伝送システム。
【請求項９】
映像データを各色の原色データとして画素単位で個別に伝送するインターフェース規格を用いて送信するデジタル映像データ送信方法であって、
前記インターフェース規格を用いる伝送経路を介して当該機器に接続された外部機器の機器情報を取得する外部機器情報取得ステップと、
番組ストリームを再生する番組ストリーム再生ステップと、
前記番組ストリーム再生ステップで再生した番組ストリームが立体映像方式の場合、前記外部機器の機器情報から前記外部機器の立体映像表示方式情報を抽出し、抽出した立体映像表示方式情報に適合するように、前記再生した番組ストリームのデータ多重化方式を決定するデータ多重化方式決定ステップと、
前記データ多重化方式決定ステップで決定した多重化方式に従い、前記再生した番組ストリームのデータを多重化し、多重化した番組ストリームのデータのブランキング期間に、前記多重化方式の情報を付加するデータ多重化ステップと、
前記伝送経路を介して前記データ多重化ステップで多重化した番組ストリームのデータを出力する伝送処理ステップと、
を備えてなるデジタル映像データ送信方法。
【請求項１０】
映像データを各色の原色データとして画素単位で個別に伝送するインターフェース規格を用いて受信するデジタル映像データ受信方法であって、
前記インターフェース規格を用いる伝送経路を介して当該機器に接続された外部機器に当該機器の機器情報を送信する受信装置情報出力ステップと、
前記外部機器から送信された番組ストリームのデータを分離処理する分離処理ステップと、
前記分離処理されたデータのブランキング期間から多重化情報を抽出する多重化情報抽出ステップと、
前記映像データが立体映像方式の場合、前記多重化情報抽出ステップで抽出した多重化情報に基づき、前記分離した映像データを立体映像表示用に処理する映像処理ステップと、
を備えてなるデジタル映像データ受信方法。
【請求項１１】
映像データを各色の原色データとして画素単位で個別に伝送するインターフェース規格を用いる伝送経路を介して、請求項９に記載のデジタル映像データ送信方法と、請求項１０に記載のデジタル映像データ受信方法と、
を行うデジタル映像データ伝送方法。
【手続補正２】
【補正対象書類名】明細書
【補正対象項目名】０００７
【補正方法】変更
【補正の内容】
【０００７】
本発明にかかるデジタル映像データ送信装置は、
映像データを各色の原色データとして画素単位で個別に伝送するインターフェース規格を用いて送信するデジタル映像データ送信装置であって、
前記インターフェース規格を用いる伝送経路を介して当該機器に接続された外部機器の機器情報を取得する外部機器情報取得部と、
番組ストリームを再生する番組ストリーム再生部と、
前記番組ストリーム再生部が再生した番組ストリームが立体映像方式の場合、前記外部機器の機器情報から前記外部機器の立体映像表示方式情報を抽出し、抽出した立体映像表示方式情報に適合するように、前記再生した番組ストリームのデータ多重化方式を決定するデータ多重化方式決定部と、
前記データ多重化方式決定部が決定した多重化方式に従い、前記再生した番組ストリームのデータを多重化し、多重化した番組ストリームのデータのブランキング期間に、前記多重化方式の情報を付加するデータ多重化部と、
前記伝送経路を介して前記データ多重化部が多重化した番組ストリームのデータを出力する伝送処理部と、
を備えるものである。
【手続補正３】
【補正対象書類名】明細書
【補正対象項目名】０００８
【補正方法】変更
【補正の内容】
【０００８】
また、本発明にかかるデジタル映像データ受信装置は、
映像データを各色の原色データとして画素単位で個別に伝送するインターフェース規格を用いて受信するデジタル映像データ受信装置であって、
前記インターフェース規格を用いる伝送経路を介して当該機器に接続された外部機器に当該機器の機器情報を送信する受信装置情報出力部と、
前記外部機器から送信された番組ストリームのデータを分離処理する分離処理部と、
前記分離処理されたデータのブランキング期間から多重化情報を抽出する多重化情報抽出部と、
前記映像データが立体映像方式の場合、前記多重化情報抽出部が抽出した多重化情報に基づき、前記分離した映像データを立体映像表示用に処理する映像処理部と、
を備えるものである。
【手続補正４】
【補正対象書類名】明細書
【補正対象項目名】００１０
【補正方法】変更
【補正の内容】
【００１０】
また、本発明にかかるデジタル映像データ送信方法は、
映像データを各色の原色データとして画素単位で個別に伝送するインターフェース規格を用いて送信するデジタル映像データ送信方法であって、
前記インターフェース規格を用いる伝送経路を介して当該機器に接続された外部機器の機器情報を取得する外部機器情報取得ステップと、
番組ストリームを再生する番組ストリーム再生ステップと、
前記番組ストリーム再生ステップで再生した番組ストリームが立体映像方式の場合、前記外部機器の機器情報から前記外部機器の立体映像表示方式情報を抽出し、抽出した立体映像表示方式情報に適合するように、前記再生した番組ストリームのデータ多重化方式を決定するデータ多重化方式決定ステップと、
前記データ多重化方式決定ステップで決定した多重化方式に従い、前記再生した番組ストリームのデータを多重化し、多重化した番組ストリームのデータのブランキング期間に、前記多重化方式の情報を付加するデータ多重化ステップと、
前記伝送経路を介して前記データ多重化ステップで多重化した番組ストリームのデータを出力する伝送処理ステップと、
を備えるものである。
【手続補正５】
【補正対象書類名】明細書
【補正対象項目名】００１１
【補正方法】変更
【補正の内容】
【００１１】
また、本発明にかかるデジタル映像データ受信方法は、
映像データを各色の原色データとして画素単位で個別に伝送するインターフェース規格を用いて受信するデジタル映像データ受信方法であって、
前記インターフェース規格を用いる伝送経路を介して当該機器に接続された外部機器に当該機器の機器情報を送信する受信装置情報出力ステップと、
前記外部機器から送信された番組ストリームのデータを分離処理する分離処理ステップと、
前記分離処理されたデータのブランキング期間から多重化情報を抽出する多重化情報抽出ステップと、
前記映像データが立体映像方式の場合、前記多重化情報抽出ステップで抽出した多重化情報に基づき、前記分離した映像データを立体映像表示用に処理する映像処理ステップと、
を備えるものである。